(57)【特許請求の範囲】
【請求項１】
本体を構成する断熱壁と、前記断熱壁の下前方に設けられ、前記断熱壁と床面との間を隠蔽するキックプレートとを備えるショーケースにおいて、
前記キックプレートには、上部に固定部を、下部に係合部を形成し、前記キックプレートの後方には、前記キックプレートの上部を固定するための固定部材と、前記キックプレートの中間部に当接する当接部材と、前記下部の係合部に係止する係止部材とを設け、前記係止部材と前記キックプレートとは上下に移動可能としたことを特徴とするショーケース。
【請求項２】
前記当接部材は上下に移動可能に設けたことを特徴とする請求項１のショーケース。
【請求項３】
前記ショーケースは、前記断熱壁の下方両側に台脚を備えており、前記当接部材はこの台脚間に渡って設け、前記係止部材はこの当接部材に固定したことを特徴とする請求項１又は請求項２のショーケース。
【発明の詳細な説明】
【０００１】
【発明の属する技術分野】
本発明は、断熱壁の下前方にキックプレートを取り付けたショーケースに関するものである。
【０００２】
【従来の技術】
従来この種ショーケースは、スーパーマーケット等の店内に設置されて食品の展示販売に供されるものであり、例えば、第１の従来例として、特開平８−１７３２７９号公報には、ショーケースの前壁下方にキックプレートを有するショーケースが示されている。
【０００３】
すなわち、このキックプレートは、本体に固定され前端が屈曲するかぎ形の取付金をショーケース本体下部の上下に設けるとともに、キックプレートの上端部に後向きに折曲り下向きに開口し前記上側取付金に係止する係合部を設け、かつ下端部を後向きに屈曲して水平部を形成し、この水平部に前記下側取付金が係止する係合孔を形成し、さらに、キックプレートと本体ケースとの間にクッションを介在設置したものである。
【０００４】
また、第２の従来例として、特開平６−３３５４１３号公報には、断熱壁と設置床面との間を隠蔽するキックプレートを、上キックプレートと下キックプレートとで構成すると共に、前記上キックプレートは前記バンパーと重複した状態で固定され、下キックプレートは上キックプレートと重複した状態を維持しつつ、上下移動可能に取り付けられているショーケースが示されている。
【０００５】
尚、これらのキックプレートは、断熱壁と設置床面との間を前方より隠蔽し、そこに設けられた配管や機械部品を隠すためのものである。
【０００６】
【発明が解決しようとする課題】
ところで、ショーケースが据え付けられるスーパーマーケット等の床面は平坦であるとは限らず、殆どの場合凹凸を有している。一方で、ショーケースは水平に設置する必要があり、一般にかかる凹凸は台脚に設けたアジャスタボルトの突出量を調整することによって吸収している。そのため、アジャスタボルトを大きく突出させると床面と断熱壁との間隔が拡大し、逆の場合には縮小することになる。
【０００７】
このような場合、上記第１の従来例においては、キックプレート下端部の水平部に前記下側取付金が係止しているので、床面と断熱壁との間隔に対応してキックプレートを上下に調整することはできず、床からキックプレート下端が離間して大きな隙間が生じ、特に設置床面付近を前方より隠蔽することができなくなって、外観上好ましいものではなかった。その上、このような設置床面とキックプレートの下端間の隙間からは、特に、配管や機械部品に付着すると影響が大きい塵埃や綿埃等が侵入していた。
【０００８】
また、第２の従来例においては、床面と断熱壁との間隔に対応させてキックプレートを上下に調整することはできるが、店内において使用されるカート等の台車や顧客の足が衝突することによるキックプレートの変形を防止するために、厚い鋼板を用いる必要があり重量が重く、又、上キックプレートと下キックプレートとで構成していたため、価格の高いものとなっていた。
【０００９】
本発明は係る問題を解決するためになされたもので、断熱壁と床面との間隔が変動しても確実に隠蔽することができるようにすると共に、カート等の台車や顧客の足が衝突することによってキックプレートの変形が容易に生じないショーケースを提供することを目的とする。
【００１０】
【課題を解決するための手段】
この発明の請求項１のショーケースは、本体を構成する断熱壁と、前記断熱壁の下前方に設けられ、前記断熱壁と床面との間を隠蔽するキックプレートとを備えるものであって、前記キックプレートには、上部に固定部を、下部に係合部を形成し、前記キックプレートの後方には、前記キックプレートの上部を固定するための固定部材と、前記キックプレートの中間部に当接する当接部材と、前記下部の係合部に係止する係止部材とを設け、前記係止部材と前記キックプレートとは上下に移動可能としたものである。
【００１１】
請求項１の発明によれば、キックプレートの後方にはキックプレートの中間部に当接する当接部材が設けられているので、カート等の台車や顧客の足が衝突することによってキックプレートの変形が容易に生じない。また、前記係止部材と前記キックプレートとは上下に移動可能としたので、断熱壁と床面との間隔が変動した場合にキックプレートを上下に移動させてその高さを調整することにより確実に隠蔽することができるようになる。
【００１２】
この発明の請求項２のショーケースは、請求項１において、前記当接部材は上下に移動可能に設けたものである。
【００１３】
請求項２の発明によれば、請求項１に加えて、当接部材は、上下に移動可能に設けたので、カート等の台車や顧客の足が衝突しやすい所定の位置まで当接部材を上下に移動させることにより、キックプレートの変形を効果的に防止することができる。
【００１４】
この発明の請求項３のショーケースは、請求項１又は請求項２において、前記ショーケースは、前記断熱壁の下方両側に台脚を備えており、前記当接部材はこの台脚間に渡って設け、前記係止部材はこの当接部材に固定したものである。
【００１５】
請求項３の発明によれば、請求項１又は請求項２に加えて、前記当接部材は台脚間に渡って設けられ、前記係止部材はこの当接部材に固定したので、台脚間においてもキックプレートを当接部材に固定された係止部材に係止することができる。
【００１６】
【発明の実施の形態】
次に、図面に基づき本発明の実施の形態を詳述する。
【００１７】
図１は本発明のショーケースの側面図、図２はショーケース前壁下方の側断面図、図３はキックプレートを外してショーケースの前下部を前方から見た状態を示す正面図、図４はショーケース前下部の側断面図、図５はアジャスタボルトを突出させてショーケース前部を上げた状態を示すショーケース前下部の側断面図、図６は収納箱の取り付け状態を示す側断面図、図７はショーケース前壁下方の収納箱の取り付け部を示す側断面図、図８は収納箱の取り付け部を分解して示す要部斜視図を示す。
【００１８】
本発明の冷却ショーケース１は所謂オープンショーケースであり、スーパーマーケット等の店内に設置されるもので、冷却ショーケース１の本体は、前壁７、上壁８、後壁９、底壁１０および図示しない左右の側板からなり、これら前壁７等の内部にはたとえば発泡ポリウレタン等の発泡樹脂が断熱材として充填されて断熱壁１１を構成し、冷却ショーケース１の前上部には、商品収納および取出用の開口２が形成されている。
【００１９】
断熱壁１１の内面より適当な間隔を存して、塗装鋼板やステンレスなどの錆びない金属板からなる区画天板１３、区画後板１４および区画床板１５が配設されている。これら区画天板１３、区画後板１４および区画床板１５と断熱壁１１との間の空間が冷気流路１６となる。区画天板１３、区画後板１４および区画床板１５で囲まれた陳列室１８には、多段の商品陳列棚１９が設けられている。
【００２０】
区画床板１５の下側の冷気流路１６内には、冷却器２１及び冷却器用送風機１７が配置されている。この冷却器２１には、冷却ショーケース１とは別体に配置されている凝縮器および圧縮機などからなる冷凍機（図示しない）から冷媒が供給され、低温度とされている。そして、冷却器用送風機１７が回転すると、冷気流路１６内の空気は、図１に図示する矢印の方向に送風され、冷気流路１６に流入した空気は冷却器２１で冷却されて、冷気吐出口２３から陳列室１８内に吐出されている。
【００２１】
そして、冷気吐出口２３から吐出した冷気は、陳列室１８の前面すなわち商品収納および取出用の開口２においてエアーカーテン２６を形成するとともに陳列室１８内を冷却し、区画床板１５の前上方に形成された吸込通路２７から吸い込まれて冷気流路１６内に戻ってくる。この様にして、空気は循環している。
【００２２】
図２乃至図４に示す如く、断熱壁１１の下方左右両側（その間にも設けられる場合がある）には台脚２８、２８が設けられている。断熱壁１１の前壁７下方には、横長のキックプレート２９が取り付けられている。このキックプレート２９は横長の鋼板を折曲加工され垂直に起立した板体であり、上下方向に長い長孔が設けられた固定部２９Ａと、この固定部２９Ａの下方の中間部２９Ｂと、この中間部２９Ｂの下端から後方略水平に延在し、複数の角状の係合孔２９Ｃが形成された係合部２９Ｄから成り、ショーケースの断熱壁１１の下方に設けられた配管や機械部品への塵埃や綿埃等の付着を防止し、断熱壁１１と床面Ｆとの間を前方より隠蔽するためのものである。尚、キックプレート２９の上端の固定部２９Ａは、前方に少許突出した後、鈍角に折曲されて形成され、この固定部２９Ａの上端は１８０度折り返されて密着曲げが施され、キックプレートを開放する際の手指の怪我を防止している。また、キックプレート２９の上端の固定部２９Ａを後述の固定部材３１に固定している螺子２５は、意匠上の配慮から、ショーケース１の前壁７により視界が遮られて商品購入者からは見えない位置に設けられている。
【００２３】
断熱壁１１の前壁７下部両側（その間にも設けられる場合がある）には固定部材３１が取り付けられている。この固定部材３１は、断熱壁１１の前壁７の前下面と、断熱壁１１の底壁１０の下面とに螺子止めされて固定されており、更に、垂直部３１Ａの略中央部から前方に延在した後上方に延在して固定部３１Ｂが形成され、この固定部３１Ｂに孔が設けられている。
【００２４】
台脚２８、２８前端の左右に渡って、横長の鋼板を折曲加工された当接部材３２が設けられている。当接部材３２は、第１の垂直部３２Ａと、この第１の垂直部３２Ａの下端から前方に延在した第１の水平部３２Ｂと、この第１の水平部３２Ｂから上方に延在した当接部３２Ｃと、前記第１の垂直部３２Ａの上端から前方に延在した第２の水平部３２Ｄからなるものである。この当接部材の第１の垂直部３２Ａの両端部には、上下に長い図示しない第１の長孔がそれぞれ２個ずつ形成されている。そして、台脚２８、２８には、断面が略Ｌ字状のアジャスタボルト固定具３３とこの当接部材３２とが、ボルト３４によって重なって固定されている。すなわち、アジャスタボルト固定具３３にボルト３４を挿通し、このボルト３４を当接部材３２の第１の長孔に挿通し、更に台脚２８、２８に螺合して締め付けることによって、アジャスタボルト固定具３３と当接部材３２は固定されている。更に、このアジャスタボルト固定具３３に高さ調整用のアジャスタボルト３５がそれぞれ固定されている。
【００２５】
当接部材３２の第１の垂直部３２Ａには、上下に長い第２の長孔３２Ｅが左右の台脚２８、２８間に複数形成されており、この第２の長孔３２Ｅに複数の小幅の係止部材３７が固定されている。係止部材３７には、上下方向に４個の孔３７Ｄが形成された略垂直な垂直部３７Ａと、この垂直部３７Ａ下端から鈍角に折曲された折曲部３７Ｂと、この折曲部３７Ｂの前端から上方に延在した係止部３７Ｃとが形成されている。そして、当接部材３２の第２の長孔３２Ｅに螺子３６を挿通し、この螺子３６を係止部材３７の孔３７Ｄのいずれかに螺合して締め付けることによって、係止部材３７は当接部材３２の後面に固定されている。
【００２６】
次に、図６乃至図８に示す如く、キックプレート２９の中間部２９Ｂには、角状の窓孔２９Ｆが形成され、販売時に使用する広告用のＰＯＰ若しくはタグ又は陳列室１８の清掃時に使用するウェス等を収納するための収納箱４０がこの窓孔２９Ｆに挿入されて設けられている。キックプレート２９の窓孔２９Ｆの後方には、摺動部材３８が設けられている。この摺動部材３８は左右の摺動部３８Ａ、３８Ａと、後部３８Ｂとから成るもので、摺動部３８Ａの前端には下方に延在してから前方に折曲されて水平部３８Ｃが形成されており、この水平部３８Ｃが当接部材３２の第１の水平部３２Ｂに固定されている。また、摺動部材３８の摺動部３８Ａの後端は、断熱壁１１の底壁１０の下面に固定されて垂下した一対の支持部材３９、３９によって支持されている。
【００２７】
収納箱４０は、上面に開口した箱状のもので、キックプレート２９の窓孔２９Ｆの大きさより少許幅及び高さの小さい本体部４０Ａと、キックプレート２９の窓孔２９Ｆより少許幅及び高さの大きい前面部４０Ｂとから成り、前面部４０Ｂの上端には、前方に延在してから下方に折曲されて形成された把手部４０Ｃが形成されている。
【００２８】
そして、収納箱４０を前記キックプレート２９の窓孔２９Ｆの前方から挿入すると、キックプレート２９の窓孔２９Ｆより少許幅及び高さの大きい前面部４０Ｂがキックプレート２９の窓孔２９Ｆを閉塞し、把手部４０Ｃはキックプレート２９の突出した固定部２９Ａの少許下方に位置するようになると共に、収納箱４０の底面が摺動部材３８の摺動部３８Ａ上を摺動し、容易に出し入れできるようになる。
【００２９】
以上の構成により、キックプレート２９上部は、キックプレート２９の固定部２９Ａの長孔に螺子２５を挿通し、この螺子２５を固定部材３１の固定部３１Ｂの孔に螺合して締め付けることによって固定され、キックプレート２９下部は、係合部２９Ｄの係合孔２９Ｃを係止部材３７に係止することによって係止される。
【００３０】
係止部材３７は、螺子３６を緩めることにより当接部材３２に設けられた長孔３２Ｅの寸法分上下に移動可能であり、断熱壁１１と床面Ｆとの間隔が変動した場合には、キックプレート２９を上下に移動させることによって対処できる。すなわち、図５に示す如く、アジャスタボルト３５の突出量を増加させて、前記間隔が拡大された場合には、螺子３６を緩めて係止部材３７を下げると共に、キックプレート２９の上部の固定部２９Ａの長孔を利用してキックプレート２９の取付け位置を下方向に調整する。このようにして、キックプレート２９を下げて固定することができるので、床面Ｆとキックプレート２９下端との隙間を確実に隠蔽することができる。従って、この隙間から断熱壁１１下方に塵埃や綿埃が侵入する不都合も解消される。尚、図５では、台脚２８の下部の突起部２８Ａと床面Ｆとの間にはスペーサＳを設けている。また、必要に応じて、キックプレート２９を上げて固定することも可能である。
【００３１】
係止部材３７の垂直部３７Ａには、上下方向に４個の孔３７Ｄが形成されているので、係止部材３７を固定している孔３２Ｅをいずれか他の所定の孔３２Ｅに変更することにより、係止部材３７を上下に更に大きく移動することができる。したがって、これによれば、更に大きくキックプレート２９を上下に移動することが可能である。
【００３２】
また、ボルト３４を緩めて、当接部材３２を長孔の寸法分上下に移動して、この当接部材３２に固定されている係止部材３７を上下に移動することによりキックプレート２９を上下に移動することも可能である。
【００３３】
次に、キックプレート２９の固定部２９Ａと係合部２９Ｄ間の中間部２９Ｂには、当接部材３２の当接部３２Ｃがキックプレート２９に当接している。これにより、カート等の台車や顧客の足が衝突してもキックプレート２９が当接部材３２により補強されるため、キックプレート２９の変形が生じ難い。尚、この当接部材３２は、摺動部材３８の摺動部３８Ａより低い位置に設けてあるので収納箱４０を前方に取り出す際に支障を生じない。
【００３４】
更に、当接部材３２には上下に長い第１の長孔が形成されているので、ボルト３４を緩めることにより当接部材３２を上下に移動し、キックプレート２９後面に当接する当接部材３２をカート等の台車や顧客の足が衝突しやすい位置まで上下に移動させることにより、キックプレート２９の変形を効果的に防止することができる。
【００３５】
また、当接部材３２は左右の台脚２８、２８間に渡って設けられ、係止部材３７はこの当接部材３２に固定されているので、台脚２８、２８間において複数の箇所でキックプレート２９の係合部２９Ｄを係止部材３７の係止部３７Ｃに係止させることにより、キックプレート２９が係止部材３７によって強く保持され、キックプレート２９の変形を更に効果的に防止することができる。
【００３６】
尚、以上の実施の形態のほか、固定部材３１の固定部３１Ｂにマグネットを固定しておき、このマグネットにキックプレートの固定部２９Ａを吸着、固定させることによっても、前述と同様の効果を奏する。
【００３７】
また、当接部材３２の当接部３２Ｃの前面に発泡ポリエチレン等により形成された緩衝材を設け、キックプレート２９の後面に当接させると、カート等の台車や顧客の足が衝突してもキックプレート２９の変形を更に効果的に防止することができる。
【００３８】
【発明の効果】
以上、詳述した如く、請求項１の発明によれば、キックプレートの後方にはキックプレートの中間部に当接する当接部材が設けられているので、カート等の台車や顧客の足が衝突することによってキックプレートの変形が容易に生じない。また、前記係止部材と前記キックプレートとは上下に移動可能としたので、断熱壁と床面との間隔が変動した場合にキックプレートを上下に移動させてその高さを調整することにより確実に隠蔽することができるようになる。
【００３９】
請求項２の発明によれば、請求項１に加えて、当接部材は、上下に移動可能に設けたので、カート等の台車や顧客の足が衝突しやすい所定の位置まで当接部材を上下に移動させることにより、キックプレートの変形を効果的に防止することができる。
【００４０】
請求項３の発明によれば、請求項１又は請求項２に加えて、前記当接部材は台脚間に渡って設けられ、前記係止部材はこの当接部材に固定したので、台脚間においてもキックプレートを当接部材に固定された係止部材に係止することができる。
【図面の簡単な説明】
【図１】本発明のショーケースの側面図である。
【図２】ショーケース前壁下方の側断面図である。
【図３】キックプレートを外してショーケースの前下部を前方から見た状態を示す正面図である。
【図４】ショーケース前下部の側断面図である。
【図５】アジャスタボルトを突出させてショーケース前部を上げた状態を示すショーケース前下部の側断面図である。
【図６】収納箱の取り付け状態を示す側断面図である。
【図７】ショーケース前壁下方の収納箱の取り付け部を示す側断面図である。
【図８】収納箱の取り付け部を分解して示す要部斜視図である。
【符号の説明】
１  ショーケース
７  前壁
１０  底壁
１１  断熱壁
２８  台脚
２９  キックプレート
２９Ａ  固定部
２９Ｃ  係合孔
２９Ｄ  係合部
３１  固定部材
３２  当接部材
３５  アジャスタボルト
３７  係止部材
３８  摺動部材
４０  収納箱
【図１】
0004131606.tif 000002
【図２】
0004131606.tif 000003
【図３】
0004131606.tif 000004
【図４】
0004131606.tif 000005
【図５】
0004131606.tif 000006
【図６】
0004131606.tif 000007
【図７】
0004131606.tif 000008
【図８】
0004131606.tif 000009